【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
略円筒形のレンズセル本体とその中に光学レンズ系を有するレンズセルであって、前記レンズセル本体が、レンズセルの中央長手方向の軸線と前記レンズセルの中央長手方向の軸線から偏心してオフセットされるレンズセルの光軸とを有する、レンズセルと、
略円筒形のスリーブ本体を有するスリーブであって、前記スリーブ本体が、第１の長手方向の軸線を有する外側表面と、前記第１の長手方向の軸線から偏心してオフセットされる第２の長手方向の軸線を有する内側表面とを有する、前記レンズセルが挿入されるスリーブと、
略円筒型の本体を有する筐体であって、前記スリーブが、少なくとも一部分挿入される筐体と、
を有する、光学系であって、
前記レンズセルの光軸が所望の位置と一直線になるように、前記レンズセルと前記スリーブは互いに対してそして前記筐体に対して回転されて、前記レンズセルの光軸が、前記所望の位置と一直線にされた後に、前記レンズセルが前記スリーブに固定して接続されて、前記スリーブが前記筐体に対して前記スリーブの回転を防ぐように前記筐体に接続される、
光学系。
【請求項２】
前記レンズセル本体は、複数の固定部材を有し、前記スリーブ本体は、前記スリーブに対する前記レンズセルの回転を防ぐように、前記複数の固定部材に係合する複数のはめあい部材を有する、請求項１に記載の光学系。
【請求項３】
前記スリーブ本体の前記外側表面は、その周りに円周方向に間隔の空いた複数の凹部を有し、更に、前記光学系は、前記筐体を介して、前記筐体と前記スリーブを互いに接続するために、複数の凹部の一つに延びる少なくとも一つの固定部材を有する、請求項１に記載の光学系。
【請求項４】
前記筐体は、その中に少なくとも一つの細長い開口部を有し、前記少なくとも一つの固定部材の各々は、前記少なくとも一つの細長い開口の一つに相互補完するように延びる、請求項３に記載の光学系。
【請求項５】
前記複数の凹部は、前記少なくとも一つの細長い開口部に対して調整可能な、請求項４に記載の光学系。
【請求項６】
前記スリーブは、前記筐体に対して長手方向に平行移動可能な、請求項１に記載の光学系。
【請求項７】
前記筐体にねじ止めで接続される焦点リングを更に有する、請求項１に記載の光学系。
【請求項８】
請求項１に記載の光学系と、
レンズアセンブリと、
前記レンズアセンブリと接眼レンズとの間に配置される画像増強装置と、
を有する、単眼鏡。
【請求項９】
フレームと、
第１の単眼鏡であって、前記第１の単眼鏡が、
略円筒形のレンズセル本体とその中に光学レンズ系を有するレンズセルであって、前記レンズセル本体が、レンズセルの中央長手方向の軸線と前記レンズセルの中央長手方向の軸線から偏心してオフセットされるレンズセルの光軸とを有する、レンズセルと、
略円筒形のスリーブ本体を有するスリーブであって、前記スリーブ本体が、第１の長手方向の軸線を有する外側表面と、前記第１の長手方向の軸線から偏心してオフセットされる第２の長手方向の軸線を有する内側表面とを有し、前記レンズセルが挿入される、スリーブと、
略円筒型の本体を有する筐体であって、前記スリーブが、少なくとも一部分挿入される筐体と、
を有し、
前記レンズセルの光軸が所望の位置と一直線になるように、前記レンズセルと前記スリーブは互いに対してそして前記筐体に対して回転されて、前記レンズセルの光軸が、前記所望の位置と一直線にされた後に、前記レンズセルが前記スリーブに固定して接続されて、前記スリーブが前記筐体に対して前記スリーブの回転を防ぐように前記筐体に接続される、
第１の単眼鏡と、
前記第１の単眼鏡と同じ構成を有する、第２の単眼鏡と、を有し、
前記第１と前記第２の単眼鏡がそれぞれ前記フレームに取り外し可能に接続される、
双眼鏡。
【請求項１０】
前記レンズセル本体は、複数の固定部材を有し、前記スリーブ本体は、前記スリーブに対して前記レンズセルの回転を防ぐための前記複数の固定部材に係合する、複数のはめあい部材を有する、請求項９に記載の双眼鏡。
【請求項１１】
前記スリーブ本体の前記外側表面は、その周りに円周方向に間隔を開けて複数の凹部を有し、前記接眼レンズは、更に、前記筐体と前記スリーブを互いに接続するように、筐体を通って、前記複数の凹部の一つに延びる少なくとも一つの固定部材を有する、請求項９に記載の双眼鏡。
【請求項１２】
前記筐体は、その中に少なくとも一つの細長い開口部を有し、前記少なくとも一つの固定部材の各々は、前記少なくとも一つの細長い開口部の一つに互いに相互補完するように延びる、請求項１１に記載の双眼鏡。
【請求項１３】
前記複数の凹部は、前記少なくとも一つの細長い開口部に対して、調整可能である、請求項１２に記載の双眼鏡。
【請求項１４】
前記スリーブは、前記筐体に対して長手方向に平行移動可能な、請求項９に記載の双眼鏡。
【請求項１５】
前記筐体にねじ止めで接続される、焦点リングを更に有する、請求項９に記載の双眼鏡。
【請求項１６】
視準のあった光学装置を製造する方法であって、前記方法が、
略円筒形のレンズセル本体を有するレンズセルを備える段階であって、前記レンズセル本体は、レンズセルの中央長手方向軸と、前記レンズセルの中央長手方向軸からオフセットされたレンズセルの光軸と、を有する、段階と、
前記レンズセルをスリーブに挿入する段階であって、前記スリーブは、略円筒形のスリーブ本体を有し、前記スリーブ本体は、第１の長手方向軸線を有する外側表面と、前記第１の長手方向軸線からオフセットされた第２の長手方向軸線を有する内側表面と、を有する段階と、
前記スリーブを筐体に少なくとも一部分挿入する段階であって、前記筐体は、略円筒形の筐体本体を有する段階と、
前記スリーブを独立して回転し、前記レンズセルを、該レンズセルの光軸が所望の位置にあるまで、前記筐体に対して独立して回転する段階と、
前記レンズセルに対する前記スリーブの回転を防ぐために、前記スリーブと前記レンズセルが互いに対して固定する段階と、
前記筐体に対して前記スリーブの回転を防ぐために、前記スリーブを前記筐体に固定する段階と、
を有する、視準のあった光学装置を製造する方法。
【請求項１７】
前記レンズセル本体は、複数の固定部材を有し、前記スリーブ本体は、複数のはめあい部材を有し、前記スリーブと前記レンズセルを互いに対して固定する段階が、更に、前記スリーブに対する前記レンズセルの回転を防ぐために、前記複数の固定部材が前記複数のはめあい部材に係合する段階を有する、請求項１６に記載の方法。
【請求項１８】
前記筐体に前記スリーブを固定する段階は、前記筐体を通してピンを挿入して、前記スリーブを係合させる段階を有する請求項１６に記載の方法。
【請求項１９】
前記スリーブを前記筐体に固定する段階は、前記筐体に対して前記スリーブを長手方向に平行移動することを可能にする、請求項１６に記載の方法。
【請求項２０】
前記筐体に焦点リングをねじ止めで更に接続する段階を更に有する、請求項１６に記載の方法。
【手続補正２】
【補正対象書類名】明細書
【補正対象項目名】００１４
【補正方法】変更
【補正の内容】
【００１４】
偏心スリーブ１３０は、図７のページの平面から外側に垂直に延びる外側のシリンダー軸１３４を有する外側表面１３２によって形成される略円筒形の本体を含む。内側表面１３６は、図７のページの平面から外側に垂直に延びる内側のシリンダー軸１３８を有する。内側のシリンダー軸１３８は、わずかな距離、すなわち約０．５ミリメートル、外側のシリンダー軸１３４から、わずかにオフセットされているのが好ましいが、オフセット距離は、０．５ミリメートルでなくてもよいことを当業者は認識することができる。このオフセットは、製造時にスリーブ１３０が筐体１１０の中に挿入されて、筐体１１０内で回転されるときに、内側のシリンダー軸１３８が外側のシリンダー軸１３４に対してシフトするように、スリーブ１３０中に第１の偏心を作る。
【手続補正３】
【補正対象書類名】明細書
【補正対象項目名】００１６
【補正方法】変更
【補正の内容】
【００１６】
図８に戻って参照すると、外側表面１３２は、スリーブ１３０の出力端部の周りを円周上に延びる溝１４３を有している。溝１４３は、その中にスナップリングを受容して保持するような大きさに作られる。スナップリングは、図５で見ることができるように、リップ１４２に対して焦点リング１７０を固定する。外側表面１３２はまた、溝１４３と凹部１４０の間の外側表面１３２から半径方向、外側に延びるリップ１４２を有している。リップ１４２は、焦点リング１７０の回転が筐体１１０に対してスリーブ１３０を長手方向に平行移動するように、焦点リング１７０に係合する。
【手続補正４】
【補正対象書類名】明細書
【補正対象項目名】００１７
【補正方法】変更
【補正の内容】
【００１７】
外側表面１３２は、更にスリーブ１３０の入力端部の周りを円周上に延びる溝１４１を有している。溝１４１は、単眼鏡１００の組立中に外側表面１３２と筐体１１０の間の結合部を密閉するオーリングを受容し保持する大きさに作られる。
【手続補正５】
【補正対象書類名】明細書
【補正対象項目名】００２３
【補正方法】変更
【補正の内容】
【００２３】
図４に戻って参照すると、レンズセル１５０の出力端部は、また、その中に形成される直径方向に対向する一組のスロット１６８を有する。スロット１６８は、組立中に、スリーブ１３０中にレンズセル１５０を挿入するのを助ける挿入ツール（図示せず）を受容する大きさに作られる。溝１６９は、溝１６１とスロット１６８間の外側表面１５２に形成される。溝１６９は、単眼鏡１００の組み立て中、外側表面１５２とスリーブ１３０間の結合部を密閉するОリングを受容して保持する大きさに作られる。
【手続補正６】
【補正対象書類名】明細書
【補正対象項目名】００２６
【補正方法】変更
【補正の内容】
【００２６】
スナップリング１８４は、スリーブ１３０に対して焦点リング１７０を固定するのに使用される。スナップリング１８４は、スリーブ１３０の溝１４３にはめ込まれて、スリーブ１３０のリップ１４２に対して焦点リング１７０のリップ１８２を固定する。